(57)【特許請求の範囲】
【請求項１】
底面に吸込口を有し、側面に通風口を設けた箱体で内部に送風機が設けられる換気装置の本体と、この本体の底面に設けた吸込口を覆うように形成されたルーバと、このルーバの裏面部側の通風開口部の周辺に一対設けられる二又状で中央に環状部を設けた開き勝手のばねと、このばねの環状部が装着されるばね取付部と、前記本体の内部で前記吸込口側寄りに設けられるばね係合部と、前記ばね取付部の端部にルーバの裏面部側に向かい突出する形状のばね引掛部とを備え、前記ばね引掛部の先端とルーバの裏面部側との間に前記ばねの環状部が挿入され、前記ルーバの前記通風開口部より外側に前記ばね取付部を設け、
前記ばね取付部の材質を軟質材とし、前記ルーバと前記ばね取付部を一体に設け、前記ばね引掛部を、先端に薄肉部が形成されるように先細り状に形成された偏平状の突起により形成され、前記ばね引掛部の先端と前記ルーバの裏面部側との隙間を前記ばねの線材径より狭くし、前記ばね取付部の内面と前記ルーバの裏面部間の間隔を前記ばねの前記環状部のばね幅より広く形成し、前記ばね取付部の根元部にリブを設けたものであって、前記ばね取付部の根元部に肉盗みを形成し、一対設けられる前記ばね取付部の形状を一方の前記ばね取付部の幅を他方に設けられる前記ばね取付部の幅より狭く形成した換気装置。
【請求項２】
ルーバを形成する材料を、ポリプロピレンの高結晶性材料と低結晶性材料を７：３〜８：２の混合比で混合して成型した請求項１記載の換気装置。
【請求項３】
ルーバの裏面部側の外側周辺部に形成される立ち上がり部の根元を薄肉で形成した請求項１または２記載の換気装置。
【請求項４】
ルーバの裏面部側に設けられる一対のばね取付部と直交する位置にもう一対ばね取付部を設けた請求項１〜３のいずれかに記載の換気装置。
【発明の詳細な説明】
【技術分野】
【０００１】
天井に埋込み設けられる換気扇本体の吸込口を覆うようにルーバを設けた換気装置に関する。
【背景技術】
【０００２】
従来、この種の換気装置として天井埋込形換気扇が知られている（例えば、特許文献１参照）。
【０００３】
以下、その天井埋込形換気扇について図１２および図１３を参照にしながら説明する。
【０００４】
図に示すように、中心部に線材を複数回円形状に巻いた巻回部１０１を有し、二又状に脚１０２を一対直線状に形成し、先端には係止部１０３を設けてばね１０４を形成し、ばね１０４の脚１０２が開き勝手の弾性で係合する係合部１０５を換気扇本体１０６に設け、換気扇本体１０６の下方を覆う形状のルーバ１０７には、ばね１０４の巻回部１０１の円形状の一部と同形状の円弧状の挿入溝１０８を垂直方向に設け、挿入溝１０８と連通して挿入溝１０８を通り挿入された巻回部１０１の方向を変換できる水平状に設けられた方向変換溝１０９を形成したばね取付部１１０を設け構成している。
【特許文献１】特開２０００−２８３５４０号公報（第２頁、図１、図４）
【発明の開示】
【発明が解決しようとする課題】
【０００５】
このような従来の天井埋込形換気扇では、ばね１０４をルーバ１０７に取り付けるときには、ばね取付部１１０の円弧状の挿入溝１０８に、ばね１０４の巻回部１０１を合わせて挿入させているため、挿入に手間が掛かるという課題があり、ばね１０４の取り付けを容易にすることが要求されている。
【０００６】
また、ばね１０４が換気扇本体１０６の係合部１０５に垂直に取り付いている場合には、ばね取付部１１０からばね１０４が外れるという課題があり、ばね１０４を外れにくくすることが要求されている。
【０００７】
本発明は、このような従来の課題を解決するものであり、ルーバへのばねの取り付けを容易にするとともに、ルーバからばねが外れにくい換気装置を提供することを目的としている。
【課題を解決するための手段】
【０００８】
本発明の換気装置は上記目的を達成するために、底面に吸込口を有し、側面に通風口を設けた箱体で内部に送風機が設けられる換気装置の本体と、この本体の底面に設けた吸込口を覆うように形成されたルーバと、このルーバの裏面部側の通風開口部の周縁に一対設けられる二又状で中央に環状部を設けた開き勝手のばねと、このばねの環状部が装着されるばね取付部と、前記本体の内部で前記吸込口側寄りに設けられるばね係合部と、前記ばね取付部の端部にルーバの裏面部側に向かい突出する形状のばね引掛部とを備え、前記ばね引掛部の先端とルーバの裏面部側との間に前記ばねの環状部が挿入される隙間を形成したものである。
【０００９】
この手段により、ルーバへのばねの取り付けが容易になるとともに、ルーバからばねが外れにくい換気装置が得られる。
【００１０】
また、他の手段は、ルーバの通風開口部より外側にばね取付部を設けたものである。
【００１１】
この手段により、風量増加および低騒音化を図れる換気装置が得られる。
【００１２】
また、他の手段は、ばね取付部の材質を軟質材としたものである。
【００１３】
この手段により、ばねの取り付けを容易にすることができる換気装置が得られる。
【００１４】
また、他の手段は、ルーバとばね取付部を一体に形成したものである。
【００１５】
この手段により、ばね取付部を安価に形成できる換気装置が得られる。
【００１６】
また、他の手段は、ばね引掛部を、先端に薄肉部が形成されるように先細り状に形成された偏平状の突起により形成したものである。
【００１７】
この手段により、ルーバからばねの外れるのを防止できる換気装置が得られる。
【００１８】
また、他の手段は、ばね引掛部の先端とルーバの裏面部側との隙間をばねの線材径により狭くしたものである。
【００１９】
この手段により、ルーバからばねの外れるのを防止できる換気装置が得られる。
【００２０】
また、他の手段は、ばね取付部の内面とルーバの裏面部間の間隔をばねの環状部のばね幅より広く形成したものである。
【００２１】
この手段により、ばねをコンパクトに畳めることができる換気装置が得られる。
【００２２】
また、他の手段は、ばね取付部の根元部にリブを設けたものである。
【００２３】
この手段により、ばね取付部が容易に破損するのを防止できる換気装置が得られる。
【００２４】
また、他の手段は、ばね取付部に肉盗みを形成したものである。
【００２５】
この手段により、形成時のヒケを防止でき、デザイン性の向上を図ることのできる換気装置が得られる。
【００２６】
また、他の手段は、一対設けられるばね取付部の形状を互いに異なるように形成したものである。
【００２７】
この手段により、ルーバの落下を防止できる換気装置が得られる。
【００２８】
また、他の手段は、ルーバを形成する材料をポリプロピレンの高結晶性材料と低結晶性材料を７：３〜８：２の混合比で混合して成型したものである。
【００２９】
この手段により、ルーバの形状変形およびばね取付部の破損を防止できる換気装置が得られる。
【００３０】
また、他の手段は、ルーバの裏面部側の外側周辺部に形成される立ち上がり部の根元を薄肉部で形成したものである。
【００３１】
この手段により、ルーバのねじれおよびそりを防止することができる換気装置が得られる。
【００３２】
また、他の手段は、ルーバの裏面部側に設けられる一対のばね取付部と直交する位置に、もう一対ばね取付部を設けたものである。
【００３３】
この手段により、ルーバの取り付け方向をデザインに合わせて容易に変更することができる換気装置が得られる。
【発明の効果】
【００３４】
本発明によれば、ルーバへのばねの取り付けが容易になるとともに、ルーバからばねが外れにくいという効果のある換気装置を提供できる。
【００３５】
また、風量増加および、低騒化を図れるという効果のある換気装置を提供できる。
【００３６】
また、ばね取付部を安価に形成できるという効果のある換気装置を提供できる。
【００３７】
また、ばね取付部が容易に破壊するのを防止できるという効果のある換気装置を提供できる。
【００３８】
また、ばねをコンパクトに畳めることができるという効果のある換気装置を提供できる。
【００３９】
また、ルーバの落下を防止することができるという効果のある換気装置を提供できる。
【００４０】
また、成型時のヒケを防止し、デザイン性を向上することができるという効果のある換気装置を提供できる。
【００４１】
また、ルーバの形状変形および、ばね取付部の破損を防止できるという効果のある換気装置を提供できる。
【００４２】
また、ルーバのねじれおよび、そりを防止することができるという効果のある換気装置を提供できる。
【００４３】
また、ルーバの取り付け方向をデザインに合わせ容易に変更できるという効果のある換気装置を提供できる。
【発明を実施するための最良の形態】
【００４４】
本発明の換気装置は、底面に吸込口を有し、側面に通風口を設けた箱体で内部に送風機が設けられる換気装置の本体と、この本体の底面に設けた吸込口を覆うように形成されたルーバと、このルーバの裏面部側の通風開口部の周縁に一対設けられる二又状で中央に環状部を設けた開き勝手のばねと、このばねの環状部が装着されるばね取付部と、前記本体の内部で前記吸込口側寄りに設けられるばね係合部と、前記ばね取付部の端部にルーバの裏面部側に向かい突出する形状のばね引掛部とを備え、前記ばね引掛部の先端とルーバの裏面部側との間に前記ばねの環状部が挿入される隙間を形成したものであり、ばね取付部にばねを取り付けるときには、ばねの環状部をルーバの裏面部とばね引掛部との間の隙間を通してばね引掛部にばねの環状部をはめたのち、ばね取付部に装着できることとなり、ばねの取付が容易になるとともに、ばね取付部に装着されたばねは、ばね引掛部によりばね取付部より外れるのが防止できるという作用を有する。
【００４５】
また、ルーバの通風開口部より外側にばね取付部を設けたものであり、ばね取付部によって、ルーバの通風開口部を塞くことがなくなり、圧力損失が減ることで、風量増加および低騒音化を図れるという作用を有する。
【００４６】
また、ばね取付部の材質を軟質材としたものであり、ばねの環状部をばね取付部に取り付けるときに、ばね取付部を変形させ、ルーバの裏面部とばね引掛部との間に形成される隙間を拡げるようにしてばねを取り付けることができるので、ばねをばね取付部に容易に取り付けることができるという作用を有する。
【００４７】
また、ルーバとばね取付部を一体に設けたものであり、ルーバ取付部を形成するのに別部材を設ける必要がなく形成できるので、ルーバ取付部を安価に形成できるという作用を有する。
【００４８】
また、ばね引掛部を、先端に薄肉部が形成されるように先細り状に形成された偏平状の突起により形成したものであり、ルーバ取付部に設けられるルーバ引掛部の先端部分の形状が変形可能となり、ルーバ裏面部とルーバ引掛部間に形成される隙間を広くして、ばねの環状部の挿入を容易にすることができるとともに、ルーバ引掛部の形状が元の状態に復帰することにより、ばねが取付部より外れるのが防止できるという作用を有する。
【００４９】
また、ばね引掛部の先端とルーバの裏面部側との隙間を、ばねの線材径より狭くしたものであり、ばねをばね取付部に取り付けるときには、外力を用いて隙間よりばねの環状部を挿入することができ、ばね取付部に装着されたばねの環状部が狭い隙間を通って外れるということがなくなるという作用を有する。
【００５０】
また、ばね取付部の内面とルーバの裏面部間の間隔をばねの環状部のばね幅より広く形成したものであり、ばねの環状部をばね取付部に垂直方向に装着された状態から、ばねの環状部を水平方向に倒すことができることとなり、それに伴いばねをルーバの裏面側に倒することが可能となり、ばねをコンパクトに畳めることができ、ルーバの保管や取り扱いが便利になるという作用を有する。
【００５１】
また、ばね取付部の根元部にリブを設けたものであり、ルーバとばね取付部の接合を強固にすることができ、ばね取付部が簡単に破損するのを防止でき、ルーバからばねが外れるのを防止できるという作用を有する。
【００５２】
また、ばね取付部の根元部に肉盗みを形成したものであり、ルーバ裏面部とばね取付部の根元部との接触を最低減にすることができるので、成型時のヒケを防止でき、ルーバの表面に表れてくるヒケによる凹凸が減少してデザイン性が損われるのを防止することができるという作用を有する。
【００５３】
また、一対設けられるばね取付部の形状を互いに異なるように形成したものであり、一対のばね取付部の破損時期を異ならせることができ、強度の弱い側の一方のばね取付部が破損してルーバが垂れ下っても他方のばね取付部のよりルーバが支持されルーバが地上に落下するという危険性を防止でき、ばね取付部の形態の補足落下防止に役立つことができるという作用を有する。
【００５４】
また、ルーバを形成する材料を、ポリプロピレンの高結晶性材料と低結晶性材料を７：３〜８：２の混合比で混合して形成したものであり、ばねの力や熱によってルーバの形状が変形することがなく、ばねをばね取付部に取り付けるときに破損することがないという作用を有する。
【００５５】
また、ルーバの裏面部側の外側周辺部に形成される立ち上がり部の根元を薄肉で形成したものであり、薄肉に形成している部分が成型後最初に冷えて固まるため、ルーバのねじれおよびそりを防止することができるという作用を有する。
【００５６】
また、ルーバの裏面部側に設けられる一対のばね取付部と直交する位置にもう一対ばね取付部を設けたものであり、ルーバのデザインに方向性があるときに、天井壁紙等周辺のデザインに合わせるようにルーバへのばねの取付位置を変えることにより周辺のデザインに適応するようにルーバの方向を変えることができ、デザイン性を高めることができるという作用を有する。
【００５７】
以下、本発明の実施の形態について図面を参照しながら説明する。
【００５８】
（実施の形態１）
図１〜図４に示すように、底面に吸込口１を有し、側面に通風口２を設けた箱体で内部に送風機３が設けられた換気装置の本体４と、本体４の底面に設けた吸込口１を覆うように形成されたルーバ５を軟質材により成型し、ルーバ５の裏面部６側の通風開口部７の周縁に一対設けられる二又状で中央に環状部８を設けた開き勝手のばね９の環状部８が装着される略逆Ｕ字状のばね取付部１０を一体に設け、ばね取付部１０の端部には、先端に薄肉部１１が形成されるように先細り状に形成された扁平状の突起１２により形成したばね引掛部１３をルーバ５の裏面部６側に向かい突出させて設け、ばね引掛部１３の先端とルーバ５の裏面部６との間にばね９の線材径Ｓ１より狭い隙間１４を設け、ばね取付部１０の内面１５とルーバ５の裏面部６間の間隔１６をばね９の環状部８のばね幅Ｓ２より広く形成し、本体４の内部の吸込口側寄りに、ばね係合部１７を設け構成する。
【００５９】
上記構成において、底面に吸込口１を有し、側面に通風口２を設けた箱体で内部に送風機３が設けられる換気装置の本体４と、本体４の底面に設けた吸込口１を覆うように形成されたルーバ５と、ルーバ５の裏面部６の通風開口部７の周辺に一対設けられる二又状で中央に環状部８を設けた開き勝手のばね９と、ばね９の環状部８が装着されるばね取付部１０と、本体４の内部で吸込口１側寄りに設けられるばね係合部１７と、ばね取付部１０の先端にルーバ５の裏面部６側に向かい突出する形状のばね引掛部１３とを備え、ばね引掛部１３の先端とルーバ５の裏面部６側との間にばね９の環状部８が挿入される隙間１４を形成したので、ばね取付部１０にばね９を取り付けるときには、ばね９の環状部８をルーバ５の裏面部６とばね引掛部１３との隙間１４を通してばね引掛部１３に挿入したのち、ばね取付部１０に装着できることとなり、ばね９の取り付けが容易になるとともに、ばね取付部１０に装着されたばね９は、ばね引掛部１３により外れるのが防止できることとなる。
【００６０】
また、ルーバ５の通風開口部７より外側にばね取付部１０を設けたので、ばね取付部１０によってルーバ５の通風開口部７を塞ぐことがなくなり圧力損失が減ることで、風量増加および低騒音化を図ることができることとなる。
【００６１】
また、ばね取付部１０の材質を軟質材としたので、ばね９の環状部８をばね取付部１０に取り付けるときに、ばね取付部１０を外力を加えて変形させルーバ５の裏面部６とばね引掛部１３との間に形成された隙間１４を拡げるようにしてばね９を取り付けることができるので、ばね９とばね取付部１０に容易に取り付けることができることとなる。
【００６２】
また、ルーバ５とばね取付部１０を一体に形成したので、ルーバ取付部１０を形成するのに別部材を設ける必要がなく形成できることにより、ルーバ取付部１０を安価に形成できることとなる。
【００６３】
また、ばね引掛部１３を、先端に薄肉部１１が形成されるように先細り状に形成された偏平状の突起１２により形成したので、ルーバ引掛部１３の先端部が変形可能となり、ルーバ５の裏面部６とルーバ引掛部１３間に形成される隙間１４を広く開いてばね９の環状部８の挿入が容易になるとともに、ばね引掛部１３の形状が元の状態に復帰することによりばね９がばね取付部１０より外れるのが防止できることとなる。
【００６４】
また、ばね引掛部１３の先端とルーバ５の裏面部６側との隙間１４を、ばね９の線材径Ｓ１より狭くしたので、ばね取付部１０に装着されたばね９の環状部８が狭い隙間１４を通れるということがなくなることとなる。
【００６５】
また、ばね取付部１０の内面１５とルーバ５の裏面部６間の間隔１６をばね９の環状部８のばね幅Ｓ２より広く形成したので、ばね９の環状部８がばね取付部１０に垂直方向に装着された状態から、ばね９の環状部８を水平方向に倒すことができることとなり、それに伴いばね９をルーバ５の裏面部６側に倒すことが可能となり、ばね９をコンパクトに畳めることができルーバ５の保管や取扱いが便利になることとなる。
【００６６】
なお、他の例として図５に示すようにばね取付部１０の根元部分を筒状に形成しても同様の作用効果にもたらすものである。
【００６７】
（実施の形態２）
図６に示すように、ばね取付部１０Ａの根元部１８にリブ１９および、肉盗み２０を形成し構成する。
【００６８】
上記構成において、ばね取付部１０Ａの根元部１８にリブ１９を設けたので、ルーバ５Ａとばね取付部１０Ａの係合を強固にすることができ、ばね取付部１０Ａが簡単に破損するのが防止でき、ルーバ５Ａからばね９が外れるのを防止できることとなる。
【００６９】
また、ばね取付部１０Ａの根元部１８に肉盗み２０を形成したので、ルーバ５Ａの裏面部６Ａとばね取付部１０Ａの根元部１８との接触を最低減にすることができ、成型時のヒケを阻止でき、ルーバ５Ａの表面に露出してくるヒケによる凹凸が減少してデザイン性が高められることとなる。
【００７０】
（実施の形態３）
図７および図８に示すように、ルーバ５Ｂに一対設けられる一方のばね取付部１０Ｂの幅Ｗ１を他方に設けられるばね取付部１０Ｃの幅Ｗ２より狭く形成し、一対設けられるばね取付部１０Ｂ、１０Ｃの形状を互いに異なるように形成して構成する。
【００７１】
上記構成においては、一対のばね取付部１０Ｂ、１０Ｃの破損時期を異ならせることができ、強度の弱い側のばね取付部１０Ｂが破損しても、他方のばね取付部１０Ｃによりルーバ５Ｂは垂れ下っても地上に落下するという危険性が防止でき、ルーバ５Ｂの落下防止に役立つことができることとなる。
【００７２】
なお、実施の形態３では、ばね取付部１０Ｂ、１０Ｃの幅を異ならしめたが、ばね取付部１０Ｂ、１０Ｃの根元部側の強度を異ならしめても同様の作用効果をもたらすことはいうまでもない。
【００７３】
（実施の形態４）
図９に示すように、ルーバ５Ｃを形成する材料を、ポリプロピレンの高結晶性材料と低結晶性材料を７：３〜８：２の混合比に混合し、ルーバ５Ｃの裏面部６Ｂ側の外側周辺部に形成される立ち上がり部２１の根元を薄肉２２で形成するよう成型した構造とする。
【００７４】
上記構成において、ルーバ５Ｃを形成する材料をポリプロピレンの高結晶性材料と低結晶性材料を７：３〜８：２の混合比に混合して成型しているので、ばね９Ａの力や熱によってルーバ５Ｃの形状が変形することがなく、ばね９Ａをばね取付部１０Ｄに取り付けるときに破損することがないこととなる。
【００７５】
ここで、高結晶性材料と低結晶性材料を７：３〜８：２の混合比に混合するのがよい理由は、図１０に示すような実験結果から導きだしたものである。
【００７６】
また、ルーバ５Ｃの裏面部６Ｂ側の外側周辺部に形成される立ち上がり部２１の根元を薄肉２２で形成したので、薄肉２２の部分が成型後最初に冷えて固まるためルーバ５Ｃのねじれおよびそりを防止することができることとなる。
【００７７】
（実施の形態５）
図１１に示すように、ルーバ５Ｄの裏面部６Ｃ側に設けられる一対のばね取付部１０Ｄと直交する位置にもう一対のばね取付部１０Ｅを設け構成する。
【００７８】
上記構成においては、ルーバ５Ｄのデザインに方向性があるときに、天井壁紙等周辺のデザインに合わせるようにルーバ５Ｄのばね９Ａの取付位置をばね取付部１０Ｄからばね取付部１０Ｅに変えることにより、周辺のデザインに適応するようにルーバ５Ｄの方向を変えることができ、デザイン性を高めることができることとなる。
【産業上の利用可能性】
【００７９】
本発明にかかる換気装置はルーバへのばねの取り付けを容易にするとともに、ルーバからばねの外れるのを防止できる効果を奏し、天井に埋め込み設けられる本体にルーバを取り付ける空調機、送風機等にも適用できる。
【図面の簡単な説明】
【００８０】
【図１】本発明の実施の形態１の換気装置のルーバの裏面部を示す斜視図
【図２】同換気装置のばねの取付状態を示す斜視図
【図３】同換気装置の本体の断面図
【図４】同換気装置のばね取付部とばねの関係を示す断面図
【図５】同換気装置のばね取付部の他の例を示す斜視図
【図６】本発明の実施の形態２のばね取付部の形状を示す斜視図
【図７】本発明の実施の形態３のルーバの裏面部を示す斜視図
【図８】同換気装置の一対のばね取付部の形状を示す斜視図
【図９】本発明の実施の形態４の換気装置のルーバの断面図
【図１０】同換気装置のルーバを形成する高結晶性材料と低結晶性材料の混合比に対するルーバの変形量およびばね取付部耐久試験の結果を示す図
【図１１】本発明の実施の形態５の換気装置の裏面部側の斜視図
【図１２】従来の天井埋込換気扇のルーバとばねの関係を示す斜視図
【図１３】同天井埋込形換気扇の構成を示す断面図
【符号の説明】
【００８１】
１      吸込口
２      通風口
３      送風機
４      本体
５      ルーバ
５Ｃ    ルーバ
５Ｄ    ルーバ
６      裏面部
６Ｂ    裏面部
６Ｃ    裏面部
７      通風開口部
８      環状部
９      ばね
１０    ばね取付部
１０Ａ  ばね取付部
１０Ｂ  ばね取付部
１０Ｃ  ばね取付部
１０Ｄ  ばね取付部
１０Ｅ  ばね取付部
１１    薄肉部
１２    突起
１３    ばね引掛部
１４    隙間
１５    内面
１６    間隔
１７    ばね係合部
１８    根元部
１９    リブ
２０    肉盗み
２１    立ち上がり部
２２    薄肉
【図１】
0005245434.tif 000002
【図２】
0005245434.tif 000003
【図３】
0005245434.tif 000004
【図４】
0005245434.tif 000005
【図５】
0005245434.tif 000006
【図６】
0005245434.tif 000007
【図７】
0005245434.tif 000008
【図８】
0005245434.tif 000009
【図９】
0005245434.tif 000010
【図１０】
0005245434.tif 000011
【図１１】
0005245434.tif 000012
【図１２】
0005245434.tif 000013
【図１３】
0005245434.tif 000014